(57)【要約】【課題】ＯＬＥＤディスプレイパネルの電力消費を低減することができるフラットパネルディスプレイを提供する。また、ディスプレイパネルの電力消費を有効に低減することができる省電力のための画像処理方法を提供する。【解決手段】省電力のための画像処理方法は、以下の工程を含んで提供される。原画像を特定の色空間に変換し、目標画像を得る。色差のオフセットの範囲に従って、複数の省電力の画素値を記録する色変換テーブルを生成する。色変換テーブルを参照して、目標画像における複数の画素の原画素値を省電力の画素値の一部に変換する。さらに、省電力の画素値の一部を有する画素を用いて、出力画像を生成する。【選択図】図１
2011118319.tif 000002
【特許請求の範囲】
【請求項１】
原画像を特定の色空間に変換して、ＮおよびＭは正の整数として、複数の画素の各々がＭ個のサブ画素を含む、Ｎビットの解像度を有する目標画像を得るステップと、
色差のオフセットの範囲および２Ｎ＊Ｍ個の参照画素値に従って、２Ｎ＊Ｍ個の省電力の画素値を記録する色変換テーブルを生成するステップと、
色変換テーブルを参照して、目標画像における複数の画素の原画素値を省電力の画素値の一部に変換するステップと、
省電力の画素値の一部を有する画素を用いて出力画像を生成するステップと、
を有する、省電力画像処理方法。
【請求項２】
複数のプリセットされたオフセットの範囲を設定するステップと、
前記プリセットされたオフセットの範囲から１つのプリセットされたオフセットの範囲を選定して、色差のオフセットの範囲として機能させるステップと、
をさらに有する、請求項１に記載の省電力画像処理方法。
【請求項３】
前記出力画像をディスプレイパネルによって表示するステップをさらに有する、請求項１に記載の省電力画像処理方法。
【請求項４】
前記ディスプレイパネルが有機発光ダイオードディスプレイパネルである、請求項３に記載の省電力画像処理方法。
【請求項５】
前記色差のオフセットの範囲および前記参照画素値に従って前記色変換テーブルを生成するステップが、
前記色変換テーブルにおいて、省電力の画素値を記録するために使用する省電力の画素値のフィールドを設定するステップと、
参照画素値を生成するステップと、
ｉは整数かつ０≦ｉ≦２Ｎ＊Ｍ−１として、第ｉ番目の省電力の画素値を配置するための位置を、第ｉ番目の参照画素値のＮ個のサブ画素値に従って決定して、前記省電力の画素値のフィールドにおいて前記省電力の画素値が前記色変換テーブルの指標値に従って順次配置されるようにするステップと、
前記参照画素値に基づいて前記第ｉ番目の参照画素値に色差演算を実行し、前記色差のオフセットの範囲および色の電力消費テーブルに従って前記参照画素値から１つの参照画素値を選定して、第ｉ番目の省電力の画素値として機能させるステップと、
を含む、請求項１に記載の省電力画像処理方法。
【請求項６】
前記参照画素値に基づいて前記第ｉ番目の参照画素値に色差演算を実行し、前記色差のオフセットの範囲および色の電力消費テーブルに従って前記参照画素値から１つを選定して、第ｉ番目の省電力の画素値として機能させるステップが、
前記参照画素値をＬａｂ色空間に変換するステップと、
Ｌａｂ色空間における色差の公式を用いることにより、前記第ｉ番目の参照画素値と前記参照画素値との間で生成される２Ｎ＊Ｍ個の色差の値を算出するステップと、
前記色差のオフセットの範囲において前記色差の値から多数の色差の値を選定するとともに、前記参照画素値から第ｉ番目の参照画素値と類似する色を有する複数の特定の参照画素値を選定するステップと、
前記色の電力消費テーブルに従って、前記特定の参照画素値から電力消費が最小となる特定の参照画素値を選定して、前記第ｉ番目の省電力の画素値として機能させるステップと、
を含む、請求項５に記載の省電力画像処理方法。
【請求項７】
前記色変換テーブルを参照して、前記目標画像における前記複数の画素の原画素値を前記省電力の画素値の一部に変換するステップが、
前記画素の１つを読み出して、特定の画素を得るステップと、
前記特定の画素の原画素値に従って、前記色変換テーブルから特定の指標値を検索するステップと、
前記省電力の画素値から、前記特定の指標値に対応する特定の省電力の画素値を読み出すステップと、
前記特定の画素の原画素値を前記特定の省電力の画素値と置換するステップと、
前記画素の各々の原画素値がそれぞれ特定の省電力の画素値に置換されるまで、前記特定の画素を再選定するとともに、上記３つのステップを繰り返すステップと、
を含む、請求項１に記載の省電力画像処理方法。
【請求項８】
前記特定の色空間がＲＧＢ色空間である、請求項１に記載の省電力画像処理方法。
【請求項９】
有機発光ダイオードディスプレイパネルと、
原画像を受信するとともに当該原画像を特定の色空間に変換して、ＮおよびＭは正の整数として、Ｎビットの解像度を有し、複数の画素の各々がＭ個のサブ画素を含む目標画像を得る入力ユニットと、
色差のオフセットの範囲に対応して２Ｎ＊Ｍ個の省電力の画素値を記録する色変換テーブルを格納する記憶ユニットと、
前記色変換テーブルに従って、前記目標画像における複数の画素の原画素値を前記省電力の画素値の一部に変換する画像変換ユニットと、
を備えるフラットパネルディスプレイであって、
前記省電力の画素値の一部を有する画素を用いることにより出力画像を生成し、当該出力画像を前記有機発光ダイオードディスプレイパネルによって表示するフラットパネルディスプレイ。
【請求項１０】
前記フラットパネルディスプレイはさらに、２Ｎ＊Ｍ個の参照画素値および前記色差のオフセットの範囲に従って前記色変換テーブルを生成し、
前記色変換テーブルは、前記省電力の画素値を記録するための省電力の画素値のフィールドを備え、
ｉは整数かつ０≦ｉ≦２Ｎ＊Ｍ−１として、第ｉ番目の省電力の画素値を配置するための位置は、第ｉ番目の参照画素値のＮ個のサブ画素値に従って決定され、前記省電力の画素値は、前記色変換テーブルの指標値に従って、前記省電力の画素値フィールドにおいて順次配置されるようにし、
前記参照画素値に基づいて第ｉ番目の参照画素値に色差演算が実行されるようにするとともに、色差のオフセットの範囲および色の電力消費テーブルに従って前記参照画素値から１つの画素値が選定されるようにして、第ｉ番目の省電力の画素値として機能させる、
請求項９に記載のフラットパネルディスプレイ。
【請求項１１】
前記特定の色空間がＲＧＢ色空間である、請求項９に記載のフラットパネルディスプレイ。
【発明の詳細な説明】
【技術分野】
【０００１】
本発明は、ディスプレイ装置およびその画像処理方法に関し、特に、フラットパネルディスプレイおよびその省電力のための画像処理方法に関するものである。
【背景技術】
【０００２】
情報技術の急速な進歩に伴い、例えばコンピュータ、携帯電話、パーソナル携帯情報機器（ＰＤＡ）、およびデジタルカメラなどの様々な携帯電子機器が登場し、これらの性能も絶えず向上している。携帯電子機器において、ディスプレイは常に重要な役割を果たしている。フラットパネルディスプレイは、スペースの有効利用、高解像度、低消費電力、電磁放射がない、という利点があるため、電子機器において広く採用されている。
【０００３】
現在、一般のフラットパネルディスプレイには、例えば、液晶ディスプレイ（ＬＣＤ）、プラズマディスプレイパネル（ＰＤＰ）、および有機発光ダイオード（ＯＬＥＤ）ディスプレイが含まれる。ＯＬＥＤディスプレイは、自発光、省電力、製造工程の容易さ、広視野角、高い応答速度、および低コストである、という利点を有するため、電子時計、携帯電話、ＰＤＡ、およびデジタルカメラ用の小さなサイズのディスプレイに非常に適している。
【発明の概要】
【発明が解決しようとする課題】
【０００４】
しかしながら、ＯＬＥＤディスプレイは省電力という利点を有するものの、実際の動作中、ＯＬＥＤディスプレイが全白（full white）モードで画像を表示する際に消費される電力は、通常、ＬＣＤによって消費される電力以上になる。したがって、ＯＬＥＤディスプレイの設計において、様々なタイプの表示される画像に向けた電力消費の低減方法については、まだ解決すべき課題が存在する。
【０００５】
したがって、本発明の目的は、全ての画素の原画素値を、色変換テーブルを参照して省電力の画素値と置換することにより、ディスプレイパネルの電力消費を有効に低減することができる、省電力のための画像処理方法を提供することにある。
【０００６】
また、本発明の目的は、画像変換ユニットを用いて画素の原画素値を調整することにより、ＯＬＥＤディスプレイパネルの電力消費を低減することができるフラットパネルディスプレイを提供することにもある。
【課題を解決するための手段】
【０００７】
本発明は、省電力のための画像処理方法を提供し、当該方法は、以下の工程を含む。まず、原画像を特定の色空間に変換して、ＮおよびＭは正の整数として、複数の画素の各々がＭ個のサブ画素を含む、Ｎビットの解像度を有する目標画像を得る。次に、色差のオフセットの範囲および２Ｎ＊Ｍ個の参照画素値に従って、２Ｎ＊Ｍ個の省電力の画素値を記録する色変換テーブルを生成する。それから、色変換テーブルを参照して、目標画像における複数の画素の原画素値を、省電力の画素値の一部に変換する。最終的に、省電力の画素値の一部を有する画素を用いて、出力画像を生成する。
【０００８】
本発明の一実施形態において、色差のオフセットの範囲および２Ｎ＊Ｍ個の参照画素値に従って色変換テーブルを生成するステップは、次のステップを含む。すなわち、色変換テーブルにおいて、省電力の画素値を記録するために使用する、省電力の画素値のフィールドを設定するステップと、２Ｎ＊Ｍ個の参照画素値を生成するステップと、ｉは整数かつ０≦ｉ≦２Ｎ＊Ｍ−１として、第ｉ番目の省電力の画素値を配置するための位置を、第ｉ番目の参照画素値のＮ個のサブ画素値に従って決定して、省電力の画素値のフィールドにおいて省電力の画素値が色変換テーブルの指標値に従って順次配置されるようにするとともに、参照画素値に基づいて第ｉ番目の参照画素値に色差演算を実行し、色差のオフセットの範囲および色の電力消費テーブルに従って参照画素値から１つの参照画素値を選定して、第ｉ番目の省電力の画素値として機能させるステップと、を含む。
【０００９】
また、本発明は、ＯＬＥＤディスプレイパネル、入力ユニット、記憶ユニット、および画像変換ユニットを含む、フラットパネルディスプレイを提供する。入力ユニットは、原画像を受信するとともに原画像を特定の色空間に変換して、Ｎビットの解像度を有する目標画像を得るのに用いる。ここで、目標画像における複数の画素の各々はＭ個のサブ画素を含み、ＮおよびＭは正の整数とする。記憶ユニットは、色変換テーブルを格納するために用いる。ここで、色変換テーブルは色差のオフセットの範囲に対応して、２Ｎ＊Ｍ個の省電力の画素値を記録する。画像変換ユニットは、色変換テーブルに従って、目標画像における複数の画素の原画素値を省電力の画素値の一部に変換するのに用いる。さらに、フラットパネルディスプレイは、省電力の画素値の一部を有する画素を用いることにより出力画像を生成し、ＯＬＥＤディスプレイパネルによって出力画像を表示する。
【発明の効果】
【００１０】
上述のように、本発明は、色変換テーブルを参照することによって、全ての画素の原画素値を省電力の画素値と置換する。したがって、省電力の画素値を用いて生成した出力画像と原画像との間に特定の色差を生じさせることができ、この特定の色差は、様々な色差のオフセットの範囲を用いて調整することができる。このようにして、当該出力画像は、電子機器の表示品質に対する要求を満足しつつ、ディスプレイパネルの電力消費を低減することができる。
【００１１】
本発明の特徴および利点の更なる理解のために、以下、本発明の実施形態を、添付図面を参照して詳細に説明する。
【００１２】
添付の図面は、本発明を更に理解するためのものであり、本明細書に組み込まれ、その一部を構成するものである。図面は、本発明の実施形態を例示するものであり、明細書中の記載と相まって、本発明の原理を説明する役割を果たすものである。
【図面の簡単な説明】
【００１３】
【図１】本発明の一実施例による省電力のための画像処理方法のフローチャートである。
【図２】図１の省電力効率と色差との間の相関図である。
【図３】ステップＳ１３０の処理を詳細に示すフローチャートである。
【図４】ステップＳ１３０の色変換テーブルを示す図である。
【図５】本発明の一実施例によるフラットパネルディスプレイの概略を示すブロック図である。
【発明を実施するための形態】
【００１４】
以下、本発明の実施形態について詳細に説明し、その例を添付の図面に示す。図面および明細書の記載において、同一または類似の部分を参照する際に、可能な場合は同じ参照番号により示す。
【００１５】
図１は、本発明の一実施形態による省電力のための画像処理方法を示すフローチャートである。図１を参照するに、まず、ステップＳ１１０において、原画像を、例えばＲＧＢ色空間、ＹＵＶ色空間、およびＸＹＺ色空間のような特定の色空間に変換して、Ｎビットの解像度を有する目標画像を得る。ここで、Ｎは正の整数である。例えば、原画像をＲＧＢ色空間に変換すると、この場合に得られる目標画像は複数の画素を含み、複数の画素の各々は、それぞれ赤・緑・青の色の３つのサブ画素を含む。さらに、目標画像が８ビットの解像度を有する（Ｎ＝８）場合、各々のサブ画素のサブ画素値は、０と２５５との間の値になる。説明の簡略化のため、以下のステップは、一例として上述した目標画像を採用して説明する。
【００１６】
目標画像に色変換を実行する前に、まず、色差（ΔＥ）に起因する人間の目に対する影響、および省電力の仕組みについて、説明する。一般的に、２点間における色の色差が３より小さい、すなわちΔＥ＜３である場合、当該２点間の色の差異は、人間の目には認識できない。さらに、２点間における色の色差が３より大きく６より小さい、すなわち３＜ΔＥ＜６である場合、当該２点間の色の差異は、専門家でなければ認識できない。さらに、２点間における色の色差が６より大きく１３より小さい、すなわち６＜ΔＥ＜１３である場合、当該２点間の色の差異は、注意深く観察すれば人間の目で認識できる。しかしながら、ディスプレイパネルの電力消費を考慮すると、図２の省電力効率と色差との間の相関図に示すように、色差が大きくなるにつれて省電力効率は高くなる。すなわち、さまざまな携帯電子機器に対して、それらに対応する用途の特性に従って適切な色差を設定することにより、電力消費および表示品質に対する要求を満足することができる。
【００１７】
したがって、目標画像に色変換を実行する前に、ステップＳ１２０において、例えば３と６との間でプリセットされたオフセットの範囲、６と９との間でプリセットされたオフセットの範囲、および９と１２との間でプリセットされたオフセットの範囲のような、複数のプリセットされたオフセットの範囲を設定し、複数のプリセットされたオフセットの範囲から１つのプリセットされたオフセットの範囲を選定して、これを色差のオフセットの範囲として機能させる。したがって、例えば６と９との間でプリセットされたオフセットの範囲など、１つの選定された色差のオフセットの範囲に基づいて、目標画像に対して色変換を実行する。
【００１８】
本実施形態においては、テーブルを参照することによって、画像の色変換を実行する。したがって、許容できる色差の範囲を選定した後、ステップＳ１３０において、選定された色差のオフセットの範囲および２Ｎ＊Ｍ個の参照画素値に従って、色変換テーブルを生成する。以下、色変換テーブルを生成する処理について説明する。図３は、ステップＳ１３０の処理を詳細に示すフローチャートであり、図４は、ステップＳ１３０の色変換テーブルを示している。図３および図４を参照するに、色変換処理の間、まず、ステップＳ３１０において、色変換テーブルにおいて、省電力の画素値のフィールドを設定する。例えば、図４の色変換テーブル４００において、省電力の画素値のフィールド４１０を設定する。
【００１９】
それから、ステップＳ３２０において、２Ｎ＊Ｍ個の参照画素値を生成する。例えば、目標画像の各々の画素が３つのサブ画素を含み（すなわちＭ＝３）、各々のサブ画素のサブ画素値が０と２５５との間の値になる（すなわちＮ＝８）場合、参照用に２５６３個の参照画素値を生じさせることができる。説明の簡略化のため、本実施例において、第ｉ番目の参照画素値はＶＰｉ（ｒ，ｇ，ｂ）と記し、ｒ、ｇ、およびｂは、それぞれ参照画素値を生成するための３つのサブ画素値とし、ｉは整数として０≦ｉ≦２５５とする。例えば、図４に示すＶＰ０（０，０，０）は第０番目の参照画素値を示し、これはサブ画素値のＲ｛０｝、Ｇ｛０｝、およびＢ｛０｝によって生成される。なお、図４に示すように、各々の参照画素値は対応する省電力の画素値を有していることにより、目標画像の変換を容易に行うことができる。すなわち、色変換テーブル４００における省電力の画素値のフィールドを用いて、２５６３個の省電力の画素値を記録する。
【００２０】
省電力の画素値を配置するための位置については、第０番目の参照画素値ＶＰ０（０，０，０）を生成するためのサブ画素値のＲ｛０｝、Ｇ｛０｝、およびＢ｛０｝を、それぞれ対応するデジタル値｛00000000｝、｛00000000｝、および｛00000000｝に変換してから、変換によって得られたデジタル値を、２４ビットのデジタル値、つまり｛000000000000000000000000｝に結合する。すなわち、サブ画素値Ｒのデジタル値｛00000000｝は１６ビットだけシフトされ、サブ画素値Ｇのデジタル値｛00000000｝は８ビットだけシフトされて、２４ビットのデジタル値を生成する。それから、２４ビットのデジタル値にＯＲゲートの動作を実行することにより値｛０｝を得て、この値｛０｝に基づいて第０番目の省電力の画素値を配置する。
【００２１】
同様に、第１番目の参照画素値ＶＰ１（０，０，１）を生成するためのサブ画素値のＲ｛０｝、Ｇ｛０｝、およびＢ｛１｝を、２４ビットデジタル値、つまり｛000000000000000000000001｝に結合し、得られた２４ビットのデジタル値にＯＲゲート動作を実行することにより得られるものに基づいて、第１番目の省電力の画素値を配置する、などのように行う。したがって、省電力の画素値フィールド４１０において、色変換テーブル４００の指標値に従って、２５６３個の省電力の画素値を順次配置することができる。すなわち、ステップＳ３３０において、ｉは整数かつ０≦ｉ≦２Ｎ＊Ｍ−１として、第ｉ番目の省電力の画素値を配置するための位置を、第ｉ番目の参照画素値のＮ個のサブ画素値に従って決定して、省電力の画素値のフィールドにおいて、省電力の画素値が色変換テーブルの指標値に従って順次配置されるようにする。
【００２２】
省電力の画素値の設定については、ステップＳ３４０において、２５６３個の参照画素値ＶＰ０、ＶＰ１、ＶＰ２、ＶＰ３、ＶＰ４、…に基づいて、第０番目の参照画素値ＶＰ０に色差演算を実行し、これに応じて２５６３個の色差の値ΔＥ０−０、ΔＥ０−１、ΔＥ０−２、ΔＥ０−３、ΔＥ０−４、…を得る。それから、色差のオフセットの範囲において例えばΔＥ０−０およびΔＥ０−４のような多数の色差を選定して、第０番目の参照画素値ＶＰ０に類似する参照画素値、例えばＶＰ０およびＶＰ４を見出す。それから、色の電力消費のテーブルに従って、第０番目の参照画素値ＶＰ０に類似する参照画素値から、電力消費が最小となる参照画素値、例えばＶＰ０を選定して、第０番目の省電力の画素値として機能させる。色の電力消費のテーブルは、２５６３個の参照画素値にそれぞれ対応する電力消費を記録する。
【００２３】
同様に、２５６３個の参照画素値ＶＰ１、ＶＰ２、ＶＰ３、…に基づいて、第１０番目の参照画素値ＶＰ１０に色差演算を実行して、２５６３個の色差ΔＥ１０−１、ΔＥ１０−２、ΔＥ１０−３、…を生成する。それから、色差ΔＥ１０−１、ΔＥ１０−２、ΔＥ１０−３、…に従って、第１０番目の参照画素値ＶＰ１０に類似する参照画素値、例えばＶＰ１、ＶＰ２、およびＶＰ７を２５６３個の参照画素値から選定する。それから、色の電力消費テーブルに従って、第１０番目の参照画素値ＶＰ１０に類似する参照画素値から、電力消費が最小となる参照画素値、例えばＶＰ７を選定して、第１０の省電力の画素値として機能させる。
【００２４】
すなわち、ステップＳ３４０において、２Ｎ＊Ｍ個の参照画素値に基づいて、第ｉ番目の参照画素値に色差演算を実行して、色差のオフセットの範囲および色の電力消費テーブルに従って、２Ｎ＊Ｍ個の参照画素値から１つの参照画素値を選定して、第ｉ番目の省電力の画素値として機能させる。したがって、ステップＳ３４０においては、各々の参照画素値について、複数の同系色の参照画素値を得ることができ、複数の同系色の参照画素値から最も省電力の参照画素値を選定して、各々の参照画素値に対応する省電力の画素値として機能させる。
【００２５】
なお、２つの参照画素値、例えば本実施形態においてＶＰ１０およびＶＰ７に色差演算を行う場合は、参照画素値ＶＰ１０およびＶＰ７をそれぞれＬａｂ色空間に変換して、それぞれ対応する変換値（Ｌ１０，ａ１０，ｂ１０）および（Ｌ７，ａ７，ｂ７）を得る。それから、公式（１）に示すように、Ｌａｂ色空間における色差の公式を用いて、参照画素値ＶＰ１０とＶＰ７との間の色差の値ΔＥ１０−７を算出する。
【００２６】
ΔＥ１０−７＝√｛（Ｌ１０−Ｌ７）２＋（ａ１０−ａ７）２＋（ｂ１０−ｂ７）２｝  公式（１）
【００２７】
再び図１を参照するに、色変換テーブルを生成した後、ステップＳ１４０において、色変換テーブルを参照して、目標画像における複数の画素の原画素値を省電力の画素値の一部に変換する。例えば、図４に示す色変換テーブル４００について、目標画像が９画素すなわちＰ１−Ｐ９を含む場合、色変換テーブルが参照される際は、画素Ｐ１−Ｐ９から、最初に画素Ｐ１を読み出す。それから、画素Ｐ１の原画素値に従って、色変換テーブルから特定の指標値を検索する。例えば、画素Ｐ１の原画素値が（０，０，１０）である場合、得られる特定の指標値は１０である。それから、特定の指標値（１０）に従って、２５６３個の省電力の画素値から、特定の指標値（１０）に対応する特定の省電力の画素値（０，０，７）を読み出すことができる。それから、特定の省電力の画素値（０，０，７）を用いて、画素Ｐ1の原画素値（０，０，１０）を置換する。同様に、画素Ｐ１の原画素値の変換を完了した後、画素Ｐ２−Ｐ９の原画素値を対応する特定の省電力の画素値に全て変換するまで、上記ステップを繰り返す。
【００２８】
すなわち、ステップＳ１４０において色変換テーブルを参照する処理によって、目標画像における全ての画素の原画素値を、省電力の画素値と置換する。それから、ステップＳ１５０において、省電力の画素値を有する画素を用いて、出力画像を生成し、ステップＳ１６０において、例えばＯＬＥＤディスプレイパネルとするディスプレイパネルに、出力画像を表示する。なお、色変換テーブルによって変換を実行した後に得られる出力画像は、原画像に比べて特定の色差を有し、この特定の色差は、様々な色差のオフセットの範囲を選定することにより調整することができるので、人間の目では認識することができない。したがって、この出力画像は、電子機器の表示品質に対する要求を満足しつつ、ディスプレイパネルの電力消費を低減することができる。
【００２９】
他の観点において、図５は、本発明の一実施例によるフラットパネルディスプレイの概略を示すブロック図である。図５を参照するに、フラットパネルディスプレイ５００は、入力ユニット５１０、記憶ユニット５２０、画像変換ユニット５３０、およびＯＬＥＤディスプレイパネル５４０を含む。入力ユニット５１０は、原画像ＩＭＧ５１を受信するとともに特定の色空間に変換して、Ｎビットの解像度を有する目標画像ＩＭＧ５２を得るのに用いる。ここで、目標画像ＩＭＧ５２の複数の画素の各々はＭ個のサブ画素を含み、ＮおよびＭは正の整数とする。
【００３０】
さらに、記憶ユニット５２０は、色変換テーブルを格納するために用いる。ここで、色変換テーブルは色差のオフセットの範囲に対応し、２Ｎ＊Ｍ個の省電力の画素値を記録する。また、画像変換ユニット５３０は、記憶ユニット５２０に格納された色変換テーブルに従って、目標画像ＩＭＧ５２における複数の画素の原画素値を省電力の画素値の一部に変換する。それから、フラットパネルディスプレイ５００は、省電力の画素値の一部を有する画素を用いることにより出力画像ＩＭＧ５３を生成し、ＯＬＥＤディスプレイパネル５４０によって出力画像ＩＭＧ５３を表示する。フラットパネルディスプレイ５００によって、色変換テーブルを生成し、色変換テーブルを参照する動作の原理の詳細は、上述の実施形態において既に説明したため、ここでは説明を省略する。
【００３１】
上述したように、本発明は、色変換テーブルを参照することにより、全ての画素の原画素値を省電力の画素値に置換する。したがって、出力画像と原画像との間に特定の色差を生じさせることができ、この特定の色差は、様々な色差のオフセットの範囲を用いて調整することができる。このようにして、この出力画像は、電子機器の表示品質に対する要求を満足しつつ、ディスプレイパネルの電力消費を低減することができる。
【００３２】
なお、本発明の技術的思想および技術的範囲から逸脱することなく、種々の変更および変形を行うことができることは、当業者に明らかである。前述に鑑みて、本発明は、請求項およびそれらの均等物の範囲内に含まれる限り、本発明の変更例および変形例の技術的範囲に含まれる。
【図１】
2011118319.tif 000003
【図２】
2011118319.tif 000004
【図３】
2011118319.tif 000005
【図４】
2011118319.tif 000006
【図５】
2011118319.tif 000007
【外国語明細書】
2011118319000001.pdf